(57)【特許請求の範囲】
【請求項１】
バイオセンサが有する貫通孔の個数及びその位置から当該バイオセンサの識別を可能にしたバイオセンサ測定器であって、
識別に必要な貫通孔の最大数の発光素子と当該発光素子からの光を受光する１乃至前記最大数の受光素子、又は識別に必要な貫通孔の最大数の受光素子と当該受光素子に対して光を出射する１乃至前記最大数の発光素子と、
同一面上に前記発光素子及び前記受光素子が実装された実装基板と、
前記貫通孔を通過した光を受光可能に配置された受光部と、
前記受光部で受光した光を前記受光素子に導光する導光路を備えたことを特徴とするバイオセンサ測定器。
【請求項２】
バイオセンサが有する貫通孔の個数及びその位置から当該バイオセンサの識別を可能にしたバイオセンサ測定器であって、
識別に必要な貫通孔の最大数の発光素子と当該発光素子からの光を受光する１乃至前記最大数の受光素子、又は識別に必要な貫通孔の最大数の受光素子と当該受光素子に対して光を出射する１乃至前記最大数の発光素子と、
同一面上に前記発光素子及び前記受光素子が実装された実装基板と、
前記発光素子が出射した光を前記貫通孔に向けて照射する発光部と、
前記発光素子が出射した光を発光部に導光する導光路を備えたことを特徴とするバイオセンサ測定器。
【請求項３】
前記発光素子と前記受光素子が一対複数又は複数対一の関係で配置されたことを特徴とする請求項１又は２に記載のバイオセンサ測定器。
【請求項４】
複数の前記発光素子からの光を受光する一つの前記受光部と、
一つの前記受光素子と、
一つの前記導光路を備えたことを特徴とする請求項１に記載のバイオセンサ測定器。
【請求項５】
一つの前記発光素子と、
一つの前記発光部と、
一つの前記導光路を備えたことを特徴とする請求項２に記載のバイオセンサ測定器。
【請求項６】
複数の前記発光素子の発光波長が互いに異なることを特徴とする請求項１〜４の何れか１項に記載のバイオセンサ測定器。
【請求項７】
前記発光素子を一定の時間間隔で発光させる制御部を備えたことを特徴とする請求項６に記載のバイオセンサ測定器。
【請求項８】
前記発光素子及び当該発光素子から出射した光を受光する受光素子若しくは受光部、又は前記受光素子及び当該受光素子に向けて光を出射する発光素子若しくは発光部が、バイオセンサを装着するコネクタ形成領域以外に備えられたことを特徴とする請求項１〜７の何れか１項に記載のバイオセンサ測定器。
【発明の詳細な説明】
【技術分野】
【０００１】
本発明はバイオセンサ測定器、具体的にはバイオセンサの識別を自動で行う測定器に関する。
【背景技術】
【０００２】
近年、酵素反応や抗原抗体反応を利用して血糖値などの生体内物質の測定を可能にしたバイオセンサが開発されている。かかるバイオセンサは、例えば使用する酵素のロット違いや製造ラインの違い、検出用電極の形成状態の違いあるいは酵素の塗布状態の違いなどによってセンサ感度が異なり、全ての製造ロット間においてセンサ感度が同じであるとは限らない。このセンサ感度の相違を校正するために、例えば、製造者は製造ロットごとにセンサ感度の調整を行った後、製品パッケージ毎に測定器のセンサ感度を調整するための校正用センサを同梱したり、製造ロット毎に識別番号を付与したりすることが行われている。そして、使用者は予め校正用センサを用いて測定器の校正を行ったり、識別番号の入力によって予め測定器に記憶されている校正用データを選択して測定器の校正を行ったりした後に測定を行っている。しかしながら、いずれの方法でも測定者自らが校正しなければならず、測定者に校正する手間を与えるだけでなく、校正を忘れると正確な測定値が得られないと言う問題があった。また、複数の対象項目を測定する測定器であれば、校正用センサの取り違え等によって正しく校正されないという問題もあった。
【０００３】
このような問題点を解決すべく、例えば、特開２００１−３１１７１１号公報（特許文献１）には、バイオセンサの出力電極に校正用の情報を識別するためのスリットを設け、このスリットの設置パターンにより校正用データを自動認識する方法が開示されている。  
【０００４】
特開平１０−３３２６２６号公報（特許文献２）には、バイオセンサを構成する出力電極が形成された基板上に、当該出力電極とは別に校正用の電極を設け、出力電極と校正用の電極との間で形成させた閉回路の形成パターンにより選択される校正用データを自動認識する方法が開示されている。
【０００５】
国際公開公報ＷＯ２００３／７６９１８号公報（特許文献３）には、バイオセンサを構成する出力電極が形成された基板の先端部に突出部を設けたり、基板の裏面に凸部を設けたりしたバイオセンサが開示されている。ここでは、これらの突出部や凸部の形成位置をセンサ装着用のコネクタに形成したコンデンサの容量変化を利用して認識した上で、この形成位置から校正用データを自動認識させたり、出力電極が形成された基板に出力電極とは別の電極を設け、この電極の形成位置を当該電極とセンサ装着用のコネクタとの間に形成したコンデンサの容量変化を利用したりして自動認識させている。
【０００６】
さらに、特許文献３には、別な方法としてバイオセンサを構成する出力電極が形成された基板の先端部に貫通孔を形成し、この貫通孔の形成位置を、貫通孔を通過した板バネ状の位置検出電極の導通状態を利用して認識する方法が開示されている。
【０００７】
【特許文献１】特開２００１−３１１７１１号公報
【特許文献２】特開平１０−３３２６２６号公報
【特許文献３】国際公開公報ＷＯ２００３／７６９１８号公報
【発明の開示】
【発明が解決しようとする課題】
【０００８】
しかしながら、電極にスリットを形成する方法では、スリットの形成に高度の技術が必要である。また、スリットの形成不良や電極の短絡を生じやすく、校正用データの識別不良を生じやすいということが考えられる。また、校正用の電極や容量変化のための突出部や凸部を形成する方法では、製造後に新しく電極や突出部を形成しなければならず、バイオセンサの製造工程が煩雑になるという問題がある。
【０００９】
さらに、校正用の電極を形成する方法ではコネクタ内に出力電極と校正用電極との間で閉回路を形成する対電極（コネクタピン）を、容量変化のために突出部等を形成する方法では校正用電極に対応するコンデンサ形成用の対電極を、貫通孔に位置検出電極を通過させる方法では位置検出電極を、それぞれコネクタに設ける必要がある。
【００１０】
ところで、コネクタにこのような検出手段を設けるには技術的な制約が多く、バイオセンサのコネクタ装着部に設けることのできる対電極等の数に制約がある。このため、準備される校正用データの数が限られ、種々のバイオセンサに対応できないおそれがあるといったことが考えられた。また、対電極を用いる方法や位置検出電極を用いる方法では、バイオセンサの使用回数の増加に伴い、電極間の接触不良を生じ、自動識別が正しく行えないという問題を生じやすい。
【００１１】
本発明は上記の背景技術の問題点に鑑みてなされたものであって、本発明の目的はコネクタから受ける技術的な制約や接触不良に基づく識別不良を回避した自動識別可能なバイオセンサ測定器を提供することにある。
【課題を解決するための手段】
【００１２】
本発明のバイオセンサ測定器は、光学的手段によりその存否を識別できるマークが付されたバイオセンサを用いて測定するバイオセンサ測定器であって、バイオセンサの識別に必要なマークの最大数の発光素子と当該発光素子からの光を受光する１乃至前記最大数の受光素子、又はバイオセンサの識別に必要なマークの最大数の受光素子と当該受光素子に対して光を出射する１乃至前記最大数の発光素子を備えたことを特徴としている。
【発明の効果】
【００１３】
本発明によると、バイオセンサに付された識別用のマークを発光素子と受光素子の組み合わせて読み取ることができる。従って、バイオセンサと非接触の状態で識別することができ、使用回数の増加による識別不良を回避できる。
【発明を実施するための最良の形態】
【００１４】
以下、本発明について添付の図面を参照しながら具体的に説明する。図１は本発明のバイオセンサ測定器１を一部破断した概略断面図、図２は当該測定器１の構成を示すブロック図である。もっとも、以下に示された実施形態は例示であって、本発明は以下の実施形態に限定されるものではなく、特許請求の範囲の範囲及びこれと均等に含まれるすべての変更が本発明に含まれることが意図される。
【００１５】
測定器１は、筐体２内に、バイオセンサ１００を装着しバイオセンサ１００の出力を取り出すコネクタ１０が実装された回路基板３を有する。この測定器１は、校正用データが格納された記憶部２０と、バイオセンサ１００に設けられた識別マーク１６０を検出する検出部３０と、当該識別マーク１６０から構成される識別情報に基づいて必要な校正用データを照合する照合部４０と、照合された校正用データを利用してバイオセンサ１００の出力から検査値を演算する演算部５０及びその結果を表示する表示部６０を備える。
【００１６】
検出部３０はバイオセンサ１００に設けられた識別マーク１６０を検出する検出手段を備えている。この検出手段は光学的手段からなり、発光ダイオードなどの発光素子３１と、発光素子３１から出射され識別マーク１６０を通過若しくは透過した光を受光するフォトダイオードなどの受光素子３２を備える。
【００１７】
図示した測定器１は、バイオセンサ１００に設けられる識別マーク１６０の最大数、すなわち、バイオセンサ１００が有する識別情報を識別するのに必要な識別マーク１６０の最大数と同数の発光素子３１と１つの受光素子を備える。この必要な発光素子３１の数は、予め測定器１に準備される校正用データの数によって異なる。例えば、４つの識別マーク１６０からバイオセンサ１００の識別情報が構成される場合には、４つの発光素子３１が備えられる。
【００１８】
各発光素子３１は、測定器１の筐体２内に配置された回路基板３に、各識別マーク１６０の位置に対応して実装され、バイオセンサ１００の下方から識別マーク１６０に向けて光を照射する。言い換えると、最大数の識別マーク１６０がバイオセンサ１００に形成された場合に、発光素子３１と識別マーク１６０が１対１の関係になるように発光素子３１が実装される。検出部３０は、各発光素子３１を順次、一定の発光間隔Δｔで発光させる。
【００１９】
回路基板３には１つの受光素子３２が受光面を上に向けて、発光素子３１が実装された基板面と同一面上に実装されている。発光素子３１の上方には受光面を下方に向けた受光部３３が配置されている。バイオセンサ１００は受光素子３２と受光部３３の間に装着される。受光部３３と受光素子３２は光ファイバーなどからなる導光路３４によって光学的に接続されている。導光路３４の受光素子３２側には、回路基板３に圧入固定された漏光防止用のカバー３５が備えられ、受光部３３で受光した光が確実に受光素子３２で受光される。こうして、発光素子３１から出射され識別マーク１６０を通過した光は、導光路３４を介して受光素子３２に受光され、電気信号に変換される。
【００２０】
図３はこの測定器１において使用されるバイオセンサ１００の一例を示す概略斜視図、図４は当該バイオセンサ１００の分解斜視図である。なお、図４では接着剤層１４０は略されている。
【００２１】
バイオセンサ１００は、両図に示すように、絶縁性を有する板部材であるカバー１２０と基板１１０の間で試料空間１３０を形成するようにカバー１２０と基板１１０が接着剤層１４０で貼り合わせられた構造をしている。バイオセンサ１００は、その先端に試料空間１３０に繋がる試料導入口１０１を有する。また、試料空間１３０の後端には、試料空間１３０とバイオセンサ１００の外部とが繋がった通気孔１４１がその両側に延設されている。基板１１０には、試料空間１３０に臨ませて一対の電極１１１が形成されている。そして、試料導入口１０１と反対側の基板端部にあるコネクタ装着部１５０には、前記電極１１１と導体路１１３で電気的に接続された電圧取り出し用の端子（出力電極）１１２が形成されている。カバー１２０には、試料空間１３０に臨ませて試料（具体的には血液等の体液）と反応する試薬層１２１が設けられている。この一対の電極１１１と試薬層１２１によってバイオセンサが構成されている。このようなバイオセンサ１００としては、例えば国際公開公報ＷＯ２００５／１０５９１号公報に記載されたような板部材が折り曲げられて基板とカバーとが作製されたチップが例示される。もっとも、本発明の測定器１に用いられるバイオセンサ１００は、図示されたものや国際公開公報ＷＯ２００５／１０５９１号公報に示された構造のバイオセンサ１００に限定されるものではない。
【００２２】
コネクタ装着部１５０以外の領域、例えば図示したものでは、導体路１１３を貫通する位置に貫通孔からなる識別マーク１６０が３つ設けられている。このバイオセンサ１００の識別マーク１６０の最大数は４であり、破線で示された丸印は残る一つの識別マーク１６０の形成予定位置を示している。識別マーク１６０の形成位置は、測定結果に影響を与える位置、例えば試薬層１２１や試料空間１３０を貫く位置でなければ、図示したように一つの導体路１１３を貫通する位置でなくてもよく、２つの導体路１１３を跨ぐ位置であっても差し支えない。また、バイオセンサ１００の強度上の観点からはカバー１２０と粘着剤層１４０、基板１１０の３層を貫く位置が好ましいが、コネクタ（図示せず）に挿入した際に露出した基板１１０に識別マーク１６０を設けてもよい。そして、測定値への影響を少なくするためには、２つの導体路１１３の間などの非導体路形成領域に設けるのが望ましい。
【００２３】
識別マーク１６０の存否が校正に必要な校正用データを自動認識させるための識別情報（ビットパターン）を構成する。つまり、識別マーク１６０の存否が２値で示される識別標識（ビットパターン）を構成し、この識別標識が校正に用いられる校正用データを決定する。言い換えると、貫通孔からなる識別マーク１６０では、貫通孔の形成された位置がビットパターンを示し、このビットパターンから必要とする校正用データが決定される。識別マーク１６０の位置や個数はバイオセンサ１００の製造ロット毎によって異なり、識別マーク１６０は製造後の試用テストの後に型打ち抜きやドリル穿孔によって形成される。また、識別マーク１６０の最大数は、予め測定器１に準備される校正用データの数によって異なり、例えば、測定器１に準備される校正用データが３（＝２２−１）種類であれば最大２つの識別マーク１６０が形成され、１５（＝２４−１）の校正用データが準備される場合であれば最大４つの識別マーク１６０が形成される。識別マーク１６０としての貫通孔の直径は用いる受光素子３２の性能によっても異なるが、光が通過できる程度の大きさであればよく、その一例を挙げると１〜３ｍｍ程度である。
【００２４】
バイオセンサ１００が測定器１のソケット１０に挿入され、測定の準備が完了すると、各発光素子３１から発光間隔Δｔで順次光が出射される。受光素子３２が受光すると電気信号を生じるので、貫通孔（識別マーク１６０）が形成されているとＯＮの信号として検出できる。従って、各発光素子３１が発光するタイミングと受光素子３２が受光するタイミングを対応させることによって識別マーク１６０の形成位置を検出できる。
【００２５】
図５はこの検出手段における識別情報の検出方法の一例を示す説明図である。そして、図５は直列に配置される最大４つの識別マーク１６０から識別情報が構成される場合を示し、図に示すバイオセンサ１００では４つの識別マーク１６０のうち、例えば、位置Ａ，位置Ｂ，位置Ｄにある３つの識別マーク１６０（実線の丸で示される）から識別情報が構成されている。なお、Ｃの位置には識別マーク１６０が形成されていないが、この位置には残る一つの識別マーク１６０（破線で示される）が必要に応じて形成される。そして、これらの各識別マーク１６０に対応して４つの発光素子Ａ，Ｂ，Ｃ，Ｄが図５（ｂ）に示すように回路基板３上に実装されている。
【００２６】
今、位置Ａの発光素子Ａが発光すると、受光素子３２が受光するので検出部３０はＯＮの電気信号を検出する。そうすると検出部３０は位置Ａに識別マーク１６０が形成されていることを認識する。次に、位置Ｂの発光素子Ｂが発光すると、受光素子３２が受光するので検出部３０は電気信号ＯＮを検出する。そうすると検出部３０は位置Ｂに識別マーク１６０が形成されていることを認識する。その次に、位置Ｃの発光素子Ｃが発光すると、位置Ｃには識別マーク１６０が形成されていないので、検出部３０は電気信号ＯＮを検出できない。そうすると検出部３０は位置Ｃには識別マーク１６０が形成されていないと認識する。そして最後に位置Ｄの発光素子Ｄが発光すると、受光素子３２が受光するので検出部３０は電気信号ＯＮを検出する。そうすると検出部３０は位置Ｄに識別マーク１６０が形成されていることを認識する。この結果、検出部３０は、Δｔの時間間隔でＯＮ、ＯＮ、ＯＦＦ、ＯＮというビットパターンに対応した２値信号を検出し、この２値信号を照合部４０に出力する。照合部４０は記憶部２０からこのビットパターンに対応した校正用データを取り出し、演算部５０に出力する。演算部５０は、この校正用データに基づいてバイオセンサ１００から出力された出力電圧から測定値を求め、表示部６０に出力する。このようにして、校正用データが自動認識され、表示部６０には校正用データに基づいて校正された正確な測定値が表示される。
【００２７】
同様にして、図示はしないが、識別マーク１６０として貫通孔が位置Ｂと位置Ｄに形成されたバイオセンサ１００では、上記と同様の考え方で、検出部３０はＯＦＦ、ＯＮ、ＯＦＦ、ＯＮという２値信号を得て、この２値信号に対応した校正用データが用いられることになる。また、識別マーク１６０の位置も直列である必要はなく、例えば２×２などのマトリックス状に設けることもできる。このとき発光素子３１は２×２のマトリックス状に配置される。なお、貫通孔１６０が全く存在しない場合は、検出部３０はＯＮ信号を検出しないので、ＯＦＦ、ＯＦＦ、ＯＦＦ、ＯＦＦのビットパターンに対応する校正データを用いるようにしてもよいし、校正を行うことなくそのまま測定値を算出してもよい。
【００２８】
このように、測定器１は発光素子３１と受光素子３２とによってバイオセンサ１００に付された識別マーク１６０を読み取ることができる。従って、バイオセンサ１００と非接触の状態でバイオセンサ１００の識別が可能となり、使用回数の増大による識別不良が防止される。
【００２９】
また、コネクタ１０以外の領域に発光素子３１と受光素子３２が設けられる。このために、コネクタ１０による技術的な制約が少なくなる。しかも、識別マーク１６０を通過した光を受光する受光部３３と受光素子３２が導光路３４で光学的に接続されているので、発光素子３１と受光素子３２が同一の基板面上に実装でき、製造工程の煩雑化が防止される。
【００３０】
上記の方法では、複数の発光素子３１と１つの受光素子３２を用いた場合について例示したが、各発光素子３１に個々の受光素子３２を１対１の関係となるように配置したり、アレイ状に受光素子が配置され受光した位置情報を検出できる受光アレイを配置したりすることもできる。この場合には、発光素子３１を一定の時間間隔Δｔで順次発光させる必要はなく、すべての発光素子３１を同時に発光させることができる。しかしながら、この場合には、発光素子３１同士が近接すると、識別マーク１６０の形成されていない位置に対応した受光素子３２が光を受光して、識別情報を誤認するおそれがあるので、受光素子３２がＯＮとして検出されるオフセットを設定するなど、誤認識を避けるための防止手段を講ずるのがよい。
【００３１】
また、発光素子３１の発光波長とそれと対応する受光素子３２の受光波長を互いに異ならせて誤認を防止することもできる。
【００３２】
図６は本発明の別な実施形態であるバイオセンサ測定器１を一部破断した概略断面図である。この測定器１は、１つの発光素子３１と複数の受光素子３２を備えている。受光素子３２は、最大数の識別マーク１６０がセンサチップ１００に形成された場合に、受光素子３２と識別マーク１６０が１対１の関係になるように実装される。また、最大数の識別マーク１６０に向けて光を出射する一つの発光部３６が設けられている。この発光部３６は発光素子３１と導光路３４で光学的に接続されている。導光路３４の発光素子３１側には、回路基板３に圧入固定された漏光防止用のカバー３５が備えられ、発光素子３１から出射された光が確実に発光部３６から出射される。こうして、発光素子３１（発光部３６）から出射された光は、識別マーク１６０を通過して受光素子３２に受光され、電気信号に変換される。このような構成をした測定器１によって、バイオセンサ１００に必要な校正用データを自動識別することもできる。
【００３３】
図７は本発明のさらに別な実施形態であるバイオセンサ測定器１を一部破断した概略断面図である。この測定器１の発光素子３１と受光部３３はコネクタ１０内に備えられ、受光部３３と回路基板３上の受光素子３２が導光路３４によって光学的に接続されている。
【００３４】
図８はこの測定器１に用いられるバイオセンサ１００の一例を示す斜視図である。このバイオセンサ１００は、コネクタ装着部１５０に設けられた２つの端子１１２間にある標識形成領域１５１に識別マーク１６０を備える。識別マーク１６０は、光学特性の異なる２種類の識別マーク１６０によって、識別マーク１６０の存否が光学的手段によって検出される。例えば、図示されたバイオセンサ１００は光透過性の識別マーク１６０ａと光低透過性の識別マーク１６０ｂによる２種類の識別マーク１６０を備える。この場合に、（１）透過率が低い場合を「マーク有り」、透過率が高い場合を「マーク無し」と判断したり、（２）透過率が高い場合を「マーク有り」、透過率が低い場合を「マーク無し」と判断したりすることができ、透過性の違いによって両者が区別される。透過性の違いは、受光素子３２が生じた起電圧によって区別できる。
【００３５】
バイオセンサ１００では光透過性の高い基板１１０が用いられることが多い。このために、例えば、インクやシール、金や銅、炭素などを含む導電性膜などの光透過性が低い物質、好ましくは光不透過性の物質の塗布等によって光透過性の低い識別マーク１６０ｂが形成される。すなわち、光低透過性の識別マーク１６０ｂはこのような光透過性の低いインクなどの塗布等により形成され、光透過性のマーク１６０ａはこれらの塗布を行わないことにより形成される。従って、光が基板１１０を透過して光低透過性の識別マーク１６０ｂが存在しないと認識できれば、光透過性のマーク１６０ａが形成されていると判断できる。このようにして形成された２種類の識別マーク１６０によって識別情報が構成され、光透過性のマーク１６１ａと光低透過性のマーク１６１ｂの組み合わせから、検出部３０はＯＮとＯＦＦで出力されるビットパターンを得る。
【００３６】
図示したバイオセンサ１００では、標識形成領域１５１に形成された光低透過性の膜１５２の必要な領域を剥離、孔開け、切削等の方法で除去することにより、光透過性の識別マーク１６０ａが形成されている。そして、削除せずに光低透過性の膜１５２が残った領域が光低透過性の識別マーク１６０ｂとして認識される（図に破線の角枠で示される。）。特に、バイオセンサ１００のコネクタ装着部１５０には導電性ペーストの塗布等により端子１１２が形成されるので、この端子１１２の形成と同時に光低透過性の膜１５２を形成できる。また、光透過性の識別マーク１６０はこの膜１５２の所定領域を除去して設けられるので、工程が煩雑にならずに済み、非常に好都合である。また、光の透過性を利用するので、形成精度が多少悪くても差し支えない。
【００３７】
もっとも、受光素子３２もコネクタ１０内に備えてよい。このように、本発明の測定器１は、コネクタ１０内に識別マーク１６０の存否を検出する発光素子３１及び受光素子３２を備えることもできる。この測定器１は、バイオセンサ１００と非接触の状態で識別情報を認識できるので、接触不良に伴う識別不良を回避できる。
【００３８】
図９は本発明のさらに別な実施形態であるバイオセンサ測定器１を一部破断した概略断面図である。発光素子３１と受光素子３２は回路基板３の同一基板面上に配置されている。発光素子３１はバイオセンサ１００の裏面に形成された識別マーク１６０に向けて光を出射し、受光素子３２は当該識別マーク１６０によって反射された光を受光する。
【００３９】
図１０はこの測定器１に用いられるバイオセンサ１００の背面図である。このバイオセンサ１００は、基板１１０背面に設けられた標識形成領域１５１に識別マーク１６０が形成されている。この識別マーク１６０は、３つの光反射性の高くなった光反射性の識別マーク１６０ｃとそれに比べて光反射性の低くなった１つの低光反射性の識別マーク１６０ｄからなる。この光反射性の識別マーク１６０ｃは、例えば、光反射性を有する物質の塗布やシールの貼付により形成できる。係る物質の塗布やシールの貼付なき領域は、光低反射性のマーク１６１ｄとして認識される（図の破線の角枠で示される。）。
【００４０】
発光素子３１から出射された光は光反射性の識別マーク１６０ｃにより反射して、受光素子３２で受光され、電気信号に変換される。こうして、検知部３０は受光素子３２から出力された電気信号をビットパターンとして認識し、必要な校正用データを決定する。
【００４１】
この測定器１においても、識別マーク１６０の最大数と同数の発光素子３１と受光素子３２を配置する、識別マーク１６０の最大数と同数の発光素子３１と一つの受光素子３２を配置し一定の時間間隔で順次発光素子３１を発光させるようにする、一つの発光素子３１と識別マーク１６０の最大数と同数の受光素子３２を配置するなど、何れの構成も採用されうる。
【００４２】
また、図示はしないが、図８に示したバイオセンサ１００のように、バイオセンサ１００の背面に光反射性の膜からなる標識形成領域１５１を作製しておき、当該領域１５１の所定領域を削除することによって、低光反射性の識別マーク１５０ｂを形成してもよい。
【００４３】
このように本発明の測定器１は、光反射性を利用して識別マーク１６０の存否を検出し、校正に必要なデータを識別することもできる。特に、バイオセンサ１００のカバー１２０領域は、導体路１１３が存在するので透過性をほとんど望めないが、コネクタ装着部１５０に比べると広い領域である。従って、この領域に数多くの貫通孔からなる識別マーク１６０や光反射性の識別マーク１６０ａを形成でき、より多くの校正用データに対応できる。
【図面の簡単な説明】
【００４４】
【図１】本発明のバイオセンサ測定器を一部破断した概略断面図である。
【図２】図１の測定器の構成を示すブロック図である。
【図３】図１の測定器に使用されるバイオセンサの一例を示す概略斜視図である。
【図４】図３のバイオセンサの分解斜視図である。
【図５】バイオセンサの識別マークの検出方法を示す説明図であって、（ａ）は識別マークの位置を示す図、（ｂ）は発光素子の発光タイミングと受光素子の受光タイミングを示す図である。
【図６】本発明の別な実施形態であるバイオセンサ測定器を一部破断した概略断面図である。
【図７】本発明のさらに別な実施形態であるバイオセンサ測定器を一部破断した概略断面図である。
【図８】図７の測定器に使用されるバイオセンサの一例を示す概略斜視図である。
【図９】本発明のさらに別な実施形態であるバイオセンサ測定器を一部破断した概略断面図である。
【図１０】同上の測定器に使用されるバイオセンサの一例を示す背面図である。
【符号の説明】
【００４５】
１  測定器
２  筐体
３  回路基板
１０  コネクタ
３０  検出部
３１  発光素子
３２  受光素子
４０  照合部
５０  演算部
１００  バイオセンサ
１１０  基板
１１２  端子
１１３  導体路
１２０  カバー
１５０  コネクタ装着部
１６０  識別マーク
１６０ａ  光透過性の識別マーク
１６０ｂ  光低透過性の識別マーク
１６０ｃ  光反射性の識別マーク
１６０ｄ  光低反射性の識別マーク
【図１】
0005023974.tif 000002
【図２】
0005023974.tif 000003
【図３】
0005023974.tif 000004
【図４】
0005023974.tif 000005
【図５】
0005023974.tif 000006
【図６】
0005023974.tif 000007
【図７】
0005023974.tif 000008
【図８】
0005023974.tif 000009
【図９】
0005023974.tif 000010
【図１０】
0005023974.tif 000011